(57)【特許請求の範囲】
【請求項１】
広告情報と、当該広告情報の掲載料とを関連付けて記憶する広告情報記憶部と、
端末に表示される、所定サービスに加入している複数のパートナーのコンテンツに共通して表示され、カテゴリごとにコンテンツへのリンクを含む共通表示メニューを取得する取得部と、
前記広告情報記憶部を参照して広告情報を選択する選択部と、
選択された前記広告情報を前記端末に送信する広告送信部と、
選択された前記広告情報に関連付けられている掲載料を、前記共通表示メニューに含まれている前記リンクが示すコンテンツに対応するパートナーに分配する分配部と、
を備える広告サーバ。
【請求項２】
前記分配部は、前記共通表示メニューに含まれる複数のカテゴリそれぞれが選択された回数に基づいて、前記掲載料を、当該複数のカテゴリそれぞれに対応する前記リンクが示すコンテンツに対応するパートナーに分配する、
請求項１に記載の広告サーバ。
【請求項３】
前記分配部は、前記パートナーのコンテンツそれぞれについて、前記共通表示メニューに関連付けられた回数に基づいて、前記掲載料を、前記共通表示メニューに含まれる前記リンクが示すコンテンツに対応するパートナーに分配する、
請求項１に記載の広告サーバ。
【請求項４】
複数の前記コンテンツのそれぞれの、前記共通表示メニューを介した、他のコンテンツへの流出数、及び他のコンテンツからの流入数を計数する計数部をさらに備え、
前記分配部は、前記流出数及び前記流入数の少なくともいずれかに基づいて、前記掲載料を、前記共通表示メニューに含まれる前記リンクが示すコンテンツに対応するパートナーに分配する、
請求項１に記載の広告サーバ。
【請求項５】
前記分配部は、前記パートナーに対して、前記掲載料のうち、少なくとも所定額以上を分配する、
請求項１から４のいずれか１項に記載の広告サーバ。
【請求項６】
前記取得部は、前記共通表示メニューが表示されている表示コンテンツに関する情報をさらに取得し、
前記分配部は、前記表示コンテンツに関する情報に基づいて、前記表示コンテンツに対応するパートナーを特定し、前記掲載料を、当該パートナーと、前記リンクが示すコンテンツに対応するパートナーとに分配する、
請求項１から５のいずれか１項に記載の広告サーバ。
【請求項７】
端末と、前記端末と通信可能に接続された広告サーバとを備える広告システムであって、
前記端末は、
所定サービスに加入している複数のパートナーのコンテンツに共通して表示され、カテゴリごとにコンテンツへのリンクを含む共通表示メニューと、前記広告サーバから受信した広告情報とを含むメニュー画面を表示部に表示させる表示制御部を有し、
前記広告サーバは、
前記広告情報と、当該広告情報の掲載料とを関連付けて記憶する広告情報記憶部と、
前記端末に表示される、前記共通表示メニューを取得する取得部と、
前記広告情報記憶部を参照して広告情報を選択する選択部と、
選択された前記広告情報を前記端末に送信する広告送信部と、
選択された前記広告情報に関連付けられている掲載料を、前記共通表示メニューに含まれている前記リンクが示すコンテンツに対応するパートナーに分配する分配部とを有する、
広告システム。
【請求項８】
端末に表示される、所定サービスに加入している複数のパートナーのコンテンツに共通して表示され、カテゴリごとにコンテンツへのリンクを含む共通表示メニューを取得するステップと、
広告情報と、当該広告情報の掲載料とを関連付けて記憶する広告情報記憶部を参照して広告情報を選択するステップと、
選択された前記広告情報を前記端末に送信するステップと、
選択された前記広告情報に関連付けられている掲載料を、前記共通表示メニューに含まれている前記リンクが示すコンテンツに対応するパートナーに分配するステップと、
を備える分配方法。
【発明の詳細な説明】
【技術分野】
【０００１】
本発明は、広告サーバ、広告システム及び分配方法に関する。
【背景技術】
【０００２】
従来、広告が掲載されたコンテンツにおいて、当該広告が選択されたり、当該広告が選択された後に当該広告に係る商品が購入されたりしたことに応じて、当該コンテンツの運営者に成功報酬が支払われる広告サービスが提供されている（例えば、特許文献１参照）。
【先行技術文献】
【特許文献】
【０００３】
【特許文献１】特開２０１２−６８９５０号公報
【発明の概要】
【発明が解決しようとする課題】
【０００４】
広告が掲載されるコンテンツには、コンテンツの運営者が提供するコンテンツの他に、複数のコンテンツの運営者のそれぞれが提供するコンテンツ間を遷移可能とする共通表示メニューが表示される場合がある。このように共通表示メニューを表示しているコンテンツでは、他のコンテンツから共通表示メニューを介してユーザが訪問することがある。したがって、共通表示メニューを表示している複数のコンテンツも、当該コンテンツに対して当該ユーザを誘導することに貢献していると考えられる。しかしながら、従来の成功報酬の付与方法では、ユーザが広告を選択しても、当該広告が掲載されたコンテンツの運営者に限定して成功報酬が支払われることから、公平性に欠けるという問題があった。
【０００５】
本発明はこれらの点に鑑みてなされたものであり、複数のコンテンツの運営者に対して広告の掲載料を適切に支払うことができる広告サーバ、広告システム及び分配方法を提供することを目的とする。
【課題を解決するための手段】
【０００６】
本発明の第１の態様に係る広告サーバは、広告情報と、当該広告情報の掲載料とを関連付けて記憶する広告情報記憶部と、端末に表示される、所定サービスに加入している複数のパートナーのコンテンツに共通して表示され、カテゴリごとにコンテンツへのリンクを含む共通表示メニューを取得する取得部と、前記広告情報記憶部を参照して広告情報を選択する選択部と、選択された前記広告情報を前記端末に送信する広告送信部と、選択された前記広告情報に関連付けられている掲載料を、前記共通表示メニューに含まれている前記リンクが示すコンテンツに対応するパートナーに分配する分配部とを備える。
【０００７】
前記分配部は、前記共通表示メニューに含まれる複数のカテゴリそれぞれが選択された回数に基づいて、前記掲載料を、当該複数のカテゴリそれぞれに対応する前記リンクが示すコンテンツに対応するパートナーに分配してもよい。
【０００８】
前記分配部は、前記パートナーのコンテンツそれぞれについて、前記共通表示メニューに関連付けられた回数に基づいて、前記掲載料を、前記共通表示メニューに含まれる前記リンクが示すコンテンツに対応するパートナーに分配してもよい。
前記広告サーバは、複数の前記コンテンツのそれぞれの、前記共通表示メニューを介した、他のコンテンツへの流出数、及び他のコンテンツからの流入数を計数する計数部をさらに備え、前記分配部は、前記流出数及び前記流入数の少なくともいずれかに基づいて、前記掲載料を、前記共通表示メニューに含まれる前記リンクが示すコンテンツに対応するパートナーに分配してもよい。
前記分配部は、前記パートナーに対して、前記掲載料のうち、少なくとも所定額以上を分配してもよい。
【０００９】
前記取得部は、前記共通表示メニューが表示されている表示コンテンツに関する情報をさらに取得し、前記分配部は、前記表示コンテンツに関する情報に基づいて、前記表示コンテンツに対応するパートナーを特定し、前記掲載料を、当該パートナーと、前記リンクが示すコンテンツに対応するパートナーとに分配してもよい。
【００１０】
本発明の第２の態様に係る広告システムは、端末と、前記端末と通信可能に接続された広告サーバとを備える広告システムであって、前記端末は、所定サービスに加入している複数のパートナーのコンテンツに共通して表示され、カテゴリごとにコンテンツへのリンクを含む共通表示メニューと、前記広告サーバから受信した広告情報とを含むメニュー画面を表示部に表示させる表示制御部を有し、前記広告サーバは、前記広告情報と、当該広告情報の掲載料とを関連付けて記憶する広告情報記憶部と、前記端末に表示される、前記共通表示メニューを取得する取得部と、前記広告情報記憶部を参照して広告情報を選択する選択部と、選択された前記広告情報を前記端末に送信する広告送信部と、選択された前記広告情報に関連付けられている掲載料を、前記共通表示メニューに含まれている前記リンクが示すコンテンツに対応するパートナーに分配する分配部とを有する。
【００１１】
本発明の第３の態様に係る分配方法は、端末に表示される、所定サービスに加入している複数のパートナーのコンテンツに共通して表示され、カテゴリごとにコンテンツへのリンクを含む共通表示メニューを取得するステップと、広告情報と、当該広告情報の掲載料とを関連付けて記憶する広告情報記憶部を参照して広告情報を選択するステップと、選択された前記広告情報を前記端末に送信するステップと、選択された前記広告情報に関連付けられている掲載料を、前記共通表示メニューに含まれている前記リンクが示すコンテンツに対応するパートナーに分配するステップと、を備える。
【発明の効果】
【００１２】
本発明によれば、多くのコンテンツに対して広告効果の高い広告を表示させることができるという効果を奏する。
【図面の簡単な説明】
【００１３】
【図１】第１の実施形態の広告システムの構成例を示す図である。
【図２】端末の表示部にサービスコンテンツが表示された例を示す図である。
【図３】端末の表示部にサービスコンテンツのメニュー画面が表示された例を示す図である。
【図４】メニュー画面の全体構成の例を示す図である。
【図５】第１の実施形態に係る端末及びメニュー生成サーバの構成を示す図である。
【図６】第１の実施形態に係る複数のサービスパートナー情報の一例を示す図である。
【図７】第１の実施形態に係る広告サーバの構成を示す図である。
【図８】第１の実施形態に係る広告管理情報の一例を示す図である。
【図９】第１の実施形態に係る掲載料の分配例を示す図である。
【図１０】第１の実施形態に係る広告システムにおいて、共通表示メニューが表示されるまでの処理の流れを示すシーケンス図である。
【図１１】第１の実施形態に係る広告システムにおいて、共通表示メニューが表示されてから、広告情報の掲載料が分配されるまでの処理の流れを示すシーケンス図である。
【図１２】第２の実施形態に係る選択回数情報を示す図である。
【図１３】第２の実施形態に係る掲載料の分配例を示す図である。
【図１４】第３の実施形態に係る関連付け回数情報を示す図である。
【図１５】第４の実施形態に係る掲載料の分配例を示す図である。
【図１６】第５の実施形態に係る広告サーバの構成を示す図である。
【図１７】計数情報記憶部に記憶されている計数情報の一例を示す図である。
【図１８】ハブコンテンツ及びエンドコンテンツを説明する図である。
【発明を実施するための形態】
【００１４】
＜第１の実施形態＞
［広告システムＳの構成例］
図１は、第１の実施形態の広告システムＳの構成例を示す図である。
広告システムＳは、複数のサービスコンテンツのそれぞれに共通表示メニューを表示させる所定サービスとしての共通表示メニューサービスにおいて、広告が閲覧されたことに応じて、成功報酬としての当該広告の掲載料を分配するためのシステムである。広告システムＳは、端末１と、共通表示メニューを生成するメニュー生成サーバ２と、共通表示メニューに表示される広告情報を選択する広告サーバ３と、サービスコンテンツを提供する複数のコンテンツサーバ４とから構成されている。端末１と、メニュー生成サーバ２と、広告サーバ３と、複数のコンテンツサーバ４とは、通信ネットワーク５を介して通信可能に接続されている。
【００１５】
コンテンツサーバ４は、共通表示メニューサービスを利用する複数のサービスパートナーがそれぞれ管理するサーバである。
端末１は、例えば、スマートフォン等の携帯端末である。端末１は、複数のコンテンツサーバ４にアクセスしてサービスコンテンツを受信し、当該サービスコンテンツを端末１が備える表示部１２に表示させる。図２は、端末１の表示部１２にサービスコンテンツが表示された例を示す図である。図２に示すように、表示部１２にはニュースサイト「ＡＡＡニュース」に関するサービスコンテンツが表示されているとともに、タブ１２１が表示されている。以下、表示部１２に表示されているサービスコンテンツを表示コンテンツともいう。
【００１６】
端末１のユーザがタブ１２１にタッチすると、表示コンテンツの表示画面に代わって、表示コンテンツのメニュー画面が表示される。図３は、端末１の表示部１２に表示コンテンツのメニュー画面が表示された例を示す図である。図４は、表示コンテンツのメニュー画面の全体構成の一例を示す図である。以下、表示コンテンツのメニュー画面を、単にメニュー画面という。
【００１７】
メニュー画面には、図４に示すように、広告枠と、サイトサービスメニューと、共通表示メニューと、タブ１２２とが含まれている。端末１の表示部１２には、図３に示すように、メニュー画面の少なくとも一部が表示される。
【００１８】
サイトサービスメニューは、メニュー画面が表示される直前に表示されていた表示コンテンツのメニューを表示するためのものであり、コンテンツサーバ４によって提供される。例えば、図３には、ＡＡＡニュースのメニューが表示されている。
【００１９】
共通表示メニューは、メニュー生成サーバ２によって提供され、共通表示メニューサービスに加入している複数のパートナーのコンテンツに共通して表示されるメニューである。共通表示メニューには、ニュースやショッピングといった複数のカテゴリが表示されており、これらのカテゴリのそれぞれには、共通表示メニューサービスを利用する複数のサービスパートナーの表示コンテンツを呼び出すアドレス情報（リンク）が関連付けられている。
【００２０】
端末１のユーザが、共通表示メニューに表示されているカテゴリ名にタッチすると、当該カテゴリに対応するアドレス情報に基づいて、サービスパートナーのサービスコンテンツが表示される。例えば、ユーザは、図４に示したＡＡＡニュースの表示コンテンツの共通表示メニューにおいて、カテゴリ名「テレビ・ラジオ」をタッチすることにより、ＡＡＡニュースと異なるサービスパートナーが運営するＢＢＢラジオのサービスコンテンツにアクセスすることができる。これにより、現在表示されている表示コンテンツから、共通表示メニューサービスを利用する他のサービスパートナーのサービスコンテンツにユーザを誘導させることができる。したがって、広告システムＳを利用するサービスパートナーは、自社の顧客だけでなく、他のサービスパートナーのサービスコンテンツにアクセスした他社の顧客から表示コンテンツへのアクセスを受けることができるので、集客効果を向上させることができる。
【００２１】
広告枠は、広告サーバ３が選択した広告情報を表示するための表示領域である。端末１のユーザによって広告枠に表示されている広告情報がタッチされると、表示部１２に、当該広告情報に対応する広告主のコンテンツが表示される。また、広告情報がタッチされると、現在表示されている表示コンテンツに対応するサービスパートナーと、共通表示メニューに含まれているリンクが示すサービスコンテンツに対応するサービスパートナーとに広告情報の掲載料が成功報酬として分配される。表示コンテンツへの訪問者には、共通表示メニューを介して訪問するユーザも含まれることから、共通表示メニューに対応するサービスコンテンツのパートナーに対しても成功報酬を付与することにより、成功報酬を公平に分配することができる。
【００２２】
タブ１２２は、表示コンテンツの表示画面に遷移するための画像である。例えば、図３に示す状態において、端末１のユーザによってタブ１２２がタッチされると、図２に示す表示コンテンツの画面が再表示される。
【００２３】
続いて、広告システムＳを構成する端末１、メニュー生成サーバ２及び広告サーバ３の機能構成について説明する。図５は、第１の実施形態に係る端末１及びメニュー生成サーバ２の構成を示す図である。
【００２４】
［端末１の構成例］
まず、端末１の機能構成について説明する。端末１は、入力部１１と、表示部１２と、無線部１３と、記憶部１４と、制御部１５とを備える。
【００２５】
入力部１１は、例えば、ボタンや、表示部１２に重畳して配置される接触センサ等により構成されており、端末１のユーザから操作入力を受け付ける。
表示部１２は、例えば、液晶ディスプレイや有機ＥＬ（Electro-Luminescence）ディスプレイ等により構成されており、制御部１５の制御に応じて文字や図形等を表示する。
【００２６】
無線部１３は、制御部１５から出力された信号を変調してＲＦ（Radio Frequency）信号を生成し、アンテナ（不図示）を介して当該ＲＦ信号を基地局（不図示）又は無線ＬＡＮ等のアクセスポイント（不図示）に無線送信する。無線部１３は、アンテナを介して基地局又はアクセスポイントから受信したＲＦ信号を復調し、復調により得られた信号を制御部１５に出力する。以下の説明において、端末１は、無線部１３を介してメニュー生成サーバ２、広告サーバ３及びコンテンツサーバ４と通信を行うものとする。
【００２７】
記憶部１４は、例えば、ＲＯＭ及びＲＡＭ等により構成される。記憶部１４は、端末１を機能させるための各種プログラムを記憶する。例えば、記憶部１４は、端末１の制御部１５を、後述する端末送信部１５１、端末受信部１５２、表示制御部１５３として機能させるためのウェブブラウザプログラムを記憶する。記憶部１４は、外部メモリ等の記憶媒体に記憶されたプログラムを読み取って記憶してもよく、通信ネットワーク５を介して外部機器からダウンロードされたプログラムを記憶してもよい。
【００２８】
制御部１５は、例えば、ＣＰＵにより構成される。制御部１５は、記憶部１４に記憶されている各種プログラムを実行することにより、端末１に係る機能を統括的に制御する。制御部１５は、端末送信部１５１と、端末受信部１５２と、表示制御部１５３とを備える。
【００２９】
端末送信部１５１は、入力部１１がサービスコンテンツの取得操作を受け付けたことに応じて、コンテンツサーバ４に、サービスコンテンツの取得リクエストを送信する。
端末受信部１５２は、コンテンツサーバ４から、当該取得リクエストに対応するサービスコンテンツを受信するとともに、当該サービスコンテンツのサイトサービスメニューを受信する。
【００３０】
表示制御部１５３は、図２に示すように、コンテンツサーバ４から受信したサービスコンテンツと、メニュー画面を表示させるためのタブ１２１とを表示部１２に表示させる。ここで、サービスコンテンツのサイトサービスメニューは、タブ１２１をタッチした後に表示されることから表示待ち状態となる。このため、サイトサービスメニューは、端末受信部１５２によって、記憶部１４に一時的に記憶される。
【００３１】
その後、入力部１１によってタブ１２１を選択する操作を受け付けると、表示制御部１５３は、表示部１２にメニュー画面を表示させ、当該メニュー画面に記憶部１４に一時的に記憶されているサイトサービスメニューを表示させる。
【００３２】
ここで、メニュー画面のソースコードには、共通表示メニューをメニュー生成サーバ２から取得するためのスクリプトが含まれており、端末送信部１５１は、当該スクリプトに基づいて、メニュー生成サーバ２に共通表示メニューの取得リクエストを送信する。例えば、端末送信部１５１は、Ａｊａｘを使用して、取得リクエストを送信する。
【００３３】
端末受信部１５２は、メニュー生成サーバ２から共通表示メニューを受信する。
表示制御部１５３は、端末受信部１５２が受信した共通表示メニューを表示部１２に表示されているメニュー画面に表示させる。
【００３４】
その後、端末送信部１５１は、メニュー画面のソースコードに含まれている、広告情報を広告サーバ３から取得するためのスクリプトに基づいて、広告サーバ３に広告情報の取得リクエストを送信する。ここで、端末送信部１５１は、広告情報の取得リクエストとともに共通表示メニューを広告サーバ３に送信する。
【００３５】
端末受信部１５２が広告サーバ３から広告情報を受信すると、表示制御部１５３は、端末受信部１５２が受信した広告情報を表示部１２に表示されているメニュー画面に表示させる。
【００３６】
［メニュー生成サーバ２の構成例］
続いて、メニュー生成サーバ２の機能構成について説明する。メニュー生成サーバ２は、記憶部２１と、制御部２２とを備える。
【００３７】
記憶部２１は、例えば、ＲＯＭ及びＲＡＭ等により構成される。記憶部２１は、メニュー生成サーバ２を機能させるための各種プログラムを記憶する。例えば、記憶部２１は、メニュー生成サーバ２の制御部２２を、後述するサーバ受信部２２１、アドレス特定部２２２、生成部２２３、及びサーバ送信部２２４として機能させるためのメニュー生成プログラムを記憶する。記憶部２１は、外部メモリ等の記憶媒体に記憶されたプログラムを読み取って記憶してもよく、通信ネットワーク５を介して外部機器からダウンロードされたプログラムを記憶してもよい。
【００３８】
また、記憶部２１は、共通表示メニューサービスを利用しているサービスパートナーのサービスコンテンツを呼び出す情報を記憶している。具体的には、記憶部２１は、サービスパートナー情報を複数記憶するサービスパートナー情報記憶部２１１を備える。図６は、第１の実施形態に係る複数のサービスパートナー情報の一例を示す図である。図６に示すように、サービスパートナー情報は、サービスコンテンツを提供するパートナーを識別するパートナーＩＤと、サービスコンテンツを識別するサービスコンテンツの名称と、サービスコンテンツを呼び出すアドレス情報と、当該サービスコンテンツが属するカテゴリとを関連付けた情報である。なお、サービスコンテンツを呼び出すアドレス情報は、例えばＷｅｂページを読み出すためのＵＲＬであってもよいし、アプリケーション起動指示を含むように記述されたＵＲＬスキームであってもよい。ここで、端末１は、起動指示されたアプリケーションが端末１にインストールされていない場合には、アプリケーションをインストールするためのストアサイトのコンテンツを表示部１２に表示させ、アプリケーションがインストールされている場合には、起動指示されたアプリケーションを起動する。
【００３９】
制御部２２は、例えば、ＣＰＵにより構成される。制御部２２は、記憶部２１に記憶されている各種プログラムを実行することにより、メニュー生成サーバ２に係る機能を統括的に制御する。制御部２２は、サーバ受信部２２１と、アドレス特定部２２２と、生成部２２３と、サーバ送信部２２４とを備える。
【００４０】
サーバ受信部２２１は、端末１から、共通表示メニューの取得リクエストを受信する。
アドレス特定部２２２は、サーバ受信部２２１が共通表示メニューの取得リクエストを受信すると、サービスパートナー情報記憶部２１１に記憶されている複数のサービスパートナー情報を参照し、共通表示メニューのカテゴリに対応するサービスコンテンツのアドレス情報を特定する。ここで、共通表示メニューに表示されるカテゴリは、予め定められているものとする。
【００４１】
また、アドレス特定部２２２は、共通表示メニューのカテゴリに対応するサービスコンテンツが複数存在する場合、これらのサービスコンテンツのうち、いずれかのサービスコンテンツをランダムに特定してもよい。また、アドレス特定部２２２は、一のカテゴリに対して、複数のサービスコンテンツを特定してもよい。
【００４２】
生成部２２３は、カテゴリと、アドレス特定部２２２が特定したアドレス情報とを関連付けて含む共通表示メニューを生成する。生成部２２３は、アドレス特定部２２２が一のカテゴリに対して複数のサービスコンテンツを特定した場合、共通表示メニューに表示されるカテゴリが選択されたことに応じて、当該カテゴリに関連する複数のサービスコンテンツのアドレスを表示するように当該共通表示メニューを生成する。
【００４３】
ここで、生成部２２３は、共通表示メニューにおいて、カテゴリ、サービスコンテンツ名、サービスコンテンツに対応するアイコンの少なくともいずれかを表示させてもよい。例えば、生成部２２３は、共通表示メニューにおいて、カテゴリとサービスコンテンツ名とを併記したり、カテゴリの代わりにサービスコンテンツ名を表示させたりしてもよい。また、生成部２２３は、共通表示メニューに表示されるサービスコンテンツが、ウェブページであるか、アプリケーションであるかについて区別して表示させるようにしてもよい。
サーバ送信部２２４は、生成部２２３が生成した共通表示メニューを、端末１に送信する。
【００４４】
［広告サーバ３の構成例］
続いて、広告サーバ３の機能構成について説明する。図７は、第１の実施形態に係る広告サーバ３の構成を示す図である。広告サーバ３は、記憶部３１と、制御部３２とを備える。
【００４５】
記憶部３１は、例えば、ＲＯＭ及びＲＡＭ等により構成される。記憶部３１は、広告サーバ３を機能させるための各種プログラムを記憶する。例えば、記憶部３１は、広告サーバ３の制御部３２を、後述する取得部３２１、選択部３２２、広告送信部３２３、及び分配部３２４として機能させるためのプログラムを記憶する。記憶部３１は、外部メモリ等の記憶媒体に記憶されたプログラムを読み取って記憶してもよく、通信ネットワーク５を介して外部機器からダウンロードされたプログラムを記憶してもよい。
【００４６】
また、記憶部３１は、広告情報と、当該広告情報の掲載料とを関連付けた広告管理情報を記憶する広告情報記憶部３１１を備える。図８は、第１の実施形態に係る広告管理情報の一例を示す図である。図８に示すように、広告管理情報は、広告情報を構成する広告ＩＤ、広告コンテンツのアドレス情報及び広告画像と、掲載料とを関連付けた情報である。なお、広告情報には、広告画像の代わりに広告メッセージが含まれていてもよい。
【００４７】
制御部３２は、例えば、ＣＰＵにより構成される。制御部３２は、記憶部３１に記憶されている各種プログラムを実行することにより、広告サーバ３に係る機能を統括的に制御する。制御部３２は、取得部３２１と、選択部３２２と、広告送信部３２３と、分配部３２４とを備える。
【００４８】
取得部３２１は、端末１から、当該端末１に表示されている共通表示メニューを取得する。具体的には、取得部３２１は、広告情報の取得リクエストと、当該端末１に表示されている共通表示メニューとを取得する。
【００４９】
また、取得部３２１は、端末１から、共通表示メニューが表示されている表示コンテンツに関する情報を取得する。例えば、取得部３２１は、表示コンテンツに関する情報として、表示コンテンツのアドレス情報を取得する。
【００５０】
選択部３２２は、広告情報記憶部３１１を参照して広告情報を選択する。例えば、選択部３２２は、広告情報記憶部３１１に記憶されている複数の広告情報からランダムに広告情報を選択する。なお、選択部３２２は、広告情報記憶部３１１に記憶されている複数の広告情報から、端末１の表示部１２に直前に表示されていた表示コンテンツとの関連性が高い広告情報を選択してもよい。
【００５１】
ここで、共通表示メニューに関連付けられるサービスコンテンツが、メニュー生成サーバ２のアドレス特定部２２２によりランダムに特定される場合には、選択された広告情報に対応する共通表示メニューの内容が異なり得る。この場合、広告情報が閲覧された場合の掲載料の分配先も変化し得る。そこで、選択部３２２は、分配部３２４が、選択された広告情報に対応する共通表示メニューに関連するサービスパートナーに掲載料を分配可能とするために、共通表示メニューと、表示コンテンツのアドレス情報と、選択された広告情報の広告ＩＤとを関連付けて、選択情報として記憶部３１に一時的に記憶させる。
【００５２】
広告送信部３２３は、選択部３２２によって選択された広告情報を、共通表示メニューを送信した端末１に送信する。例えば、広告送信部３２３は、選択された広告情報を特定するためのパラメータを含み、ホスト名を広告サーバ３とするＵＲＬをリンクとする広告画像を端末１に送信する。広告情報を特定するためのパラメータは、例えば、広告ＩＤである。端末１は、広告画像を受信すると、表示部１２に表示されているメニュー画面の広告枠に当該広告画像を表示させる。
【００５３】
分配部３２４は、端末１においてユーザによって選択された広告情報に関連付けられている掲載料を、表示コンテンツに対応するパートナーと、共通表示メニューに含まれているリンクが示すコンテンツに対応するパートナーとに分配する。
【００５４】
具体的には、端末１のメニュー画面の広告枠に表示されている広告画像がユーザによって選択されると、端末１は、広告情報を特定するためのパラメータを含む広告コンテンツの取得リクエストを広告サーバ３に送信する。広告サーバ３が当該取得リクエストを受信すると、広告送信部３２３は、広告情報を特定するためのパラメータに基づいて、選択された広告情報を特定する。そして、広告送信部３２３は、特定した広告情報に対応する広告コンテンツのページにリダイレクトする。
【００５５】
分配部３２４は、選択部３２２が記憶部３１に一時的に記憶した選択情報を参照し、特定された広告情報に関連付けられている共通表示メニューと、表示コンテンツのアドレス情報とを特定する。そして、分配部３２４は、特定した共通表示メニューに含まれているリンク（アドレス情報）が示すサービスコンテンツに対応するサービスパートナーを特定するとともに、表示コンテンツのアドレス情報に基づいて、当該表示コンテンツに対応するサービスパートナーを特定し、これらのサービスパートナーに対して、広告情報に関連付けられている掲載料を分配する。
【００５６】
図９は、第１の実施形態に係る掲載料の分配例を示す図である。例えば、分配部３２４は、表示コンテンツに対応するサービスパートナーに対して、掲載料（３６０円）の半分（１８０円）を分配する。また、分配部３２４は、共通表示メニューのサービスコンテンツに対応するサービスパートナーに対して、残りの掲載料を均等に分配する。例えば、共通表示メニューに表示されている複数のカテゴリに対応するサービスコンテンツが、Ａニュース、ＢＢショップ、ＣＣＣラジオ、ＤＤミュージック、Ｅトラベル、及びＦグルメの６つである場合、それぞれのコンテンツに対応するサービスパートナーに対して３０円ずつ分配する。なお、分配部３２４は、表示コンテンツに対応するサービスパートナーに対して、掲載料の半分を分配したが、これに限らず、任意の額を分配してもよい。
【００５７】
［掲載料の分配に係るシーケンス］
続いて、共通表示メニューに表示された広告情報に係る掲載料がサービスパートナーに分配されるまでの処理の流れについて説明する。まず、共通表示メニューが表示されるまでの処理の流れについて説明する。図１０は、第１の実施形態に係る広告システムＳにおいて、共通表示メニューが表示されるまでの処理の流れを示すシーケンス図である。
【００５８】
まず、端末１の端末送信部１５１は、コンテンツサーバ４に、サービスコンテンツの取得リクエストを送信する。
コンテンツサーバ４は、サービスコンテンツの取得リクエストを受信したことに応じて、自身の記憶部に記憶されているサービスコンテンツ及びサイトサービスメニューを取得し（Ｓ１０）、取得したサービスコンテンツ及びサイトサービスメニューを端末１に送信する。
【００５９】
続いて、端末受信部１５２が、コンテンツサーバ４からサービスコンテンツ及びサイトサービスメニューを受信すると、表示制御部１５３は、当該サービスコンテンツと、メニュー画面を表示させるためのタブ１２１とを表示部１２に表示させる（Ｓ２０）。
【００６０】
続いて、表示制御部１５３は、タブ１２１が選択されたか否かを判定する（Ｓ３０）。表示制御部１５３は、タブ１２１が選択されたと判定すると、表示部１２にメニュー画面を表示させ、コンテンツサーバ４から受信したサイトサービスメニューを当該メニュー画面に表示させる（Ｓ４０）。
【００６１】
続いて、端末送信部１５１は、メニュー画面に含まれている、共通表示メニューをメニュー生成サーバ２から取得するためのスクリプトに基づいて、メニュー生成サーバ２に共通表示メニューの取得リクエストを送信する。
【００６２】
続いて、サーバ受信部２２１が、端末１から共通表示メニューの取得リクエストを受信すると、アドレス特定部２２２は、サービスパートナー情報記憶部２１１を参照し、共通表示メニューのカテゴリに対応するサービスコンテンツのアドレス情報を特定する（Ｓ５０）。
【００６３】
続いて、生成部２２３は、カテゴリと、アドレス特定部２２２が特定したアドレス情報とを関連付けて含む共通表示メニューを生成する（Ｓ６０）。サーバ送信部２２４は、生成された共通表示メニューを、端末１に送信する。
【００６４】
続いて、端末受信部１５２が、メニュー生成サーバ２から共通表示メニューを受信すると、表示制御部１５３は、当該共通表示メニューを表示部１２に表示されているメニュー画面に表示させる（Ｓ７０）。
【００６５】
続いて、共通表示メニューが表示されてから、広告情報の掲載料が分配されるまでの処理の流れについて説明する。図１１は、第１の実施形態に係る広告システムＳにおいて、共通表示メニューが表示されてから、広告情報の掲載料が分配されるまでの処理の流れを示すシーケンス図である。
【００６６】
端末送信部１５１は、メニュー画面に含まれている、広告情報を広告サーバ３から取得するためのスクリプトに基づいて、広告サーバ３に広告情報の取得リクエストと共通表示メニューとを送信する。
続いて、取得部３２１が、端末１から共通表示メニューを受信すると、選択部３２２は、広告情報記憶部３１１を参照して広告情報を選択する（Ｓ８０）。続いて、広告送信部３２３は、選択された広告情報を、広告情報の取得リクエストを送信した端末１に送信する。端末受信部１５２が広告サーバ３から広告情報を受信すると、表示制御部１５３は、当該広告情報を、メニュー画面の広告枠に表示させる（Ｓ９０）。
【００６７】
続いて、端末送信部１５１は、広告情報が選択されたか否かを判定する（Ｓ１００）。端末送信部１５１は、広告情報が選択されたと判定すると、広告情報に対応する広告コンテンツの取得リクエストを広告サーバ３に送信する。ここで、この取得リクエストには、広告情報を特定するためのパラメータが含まれている。
【００６８】
広告サーバ３が当該取得リクエストを受信すると、広告送信部３２３は、当該取得リクエストに含まれているパラメータに基づいて、選択された広告情報を特定する。そして、広告送信部３２３は、特定した広告情報に対応する広告コンテンツのページにリダイレクトする。
【００６９】
分配部３２４は、選択された広告情報に関連付けられている掲載料を、表示コンテンツに対応するパートナーと、共通表示メニューに含まれているリンクが示すサービスコンテンツに対応するパートナーとに分配する（Ｓ１１０）。
【００７０】
［第１の実施形態における効果］
以上のとおり、広告サーバ３は、選択された広告情報に関連付けられている掲載料を、共通表示メニューに含まれているリンクが示すサービスコンテンツに対応するサービスパートナーに分配する。表示コンテンツへの訪問者には、共通表示メニューを介して訪問するユーザも含まれることから、広告サーバ３は、共通表示メニューに対応するサービスコンテンツのパートナーに対しても広告の掲載料を分配することにより、複数のサービスコンテンツそれぞれに対応するサービスパートナーに対して成功報酬を適切に支払うことができる。
【００７１】
＜第２の実施形態＞
［共通表示メニューにおける選択回数に応じて掲載料を分配する］
続いて、第２の実施形態について説明する。第１の実施形態では、広告サーバ３は、表示コンテンツに対応するサービスパートナーに対して、掲載料を分配した後、共通表示メニューに含まれるリンク先のサービスコンテンツに対応するサービスパートナーに対して、残りの掲載料を均等に分配した。しかしながら、共通表示メニューに含まれるカテゴリのそれぞれに対応するサービスコンテンツが、表示コンテンツにおける広告情報の選択に対して同様に貢献しているとは限らない。
【００７２】
例えば、共通表示メニューにおいて、カテゴリ「ニュース」が、カテゴリ「トラベル」に比べて多く選択されているものとする。この場合、カテゴリ「ニュース」を介して表示コンテンツに訪問するユーザの数は、カテゴリ「トラベル」を介して表示コンテンツに訪問するユーザの数に比べて多くなると考えられ、カテゴリ「ニュース」が、表示コンテンツにおける広告情報の選択に対して大きく貢献していると考えられる。
【００７３】
そこで、第２の実施形態では、広告サーバ３は、共通表示メニューにおける各カテゴリの選択回数に基づいて掲載料を分配する。以下、第２の実施形態について図面を参照して説明する。なお、第１の実施形態と同様の構成については同一の符号を付し、詳細な説明を省略する。
【００７４】
第２の実施形態において、メニュー生成サーバ２の記憶部２１は、共通表示メニューに含まれる複数のカテゴリのそれぞれが選択された回数を示す選択回数情報を記憶する。図１２は、第２の実施形態に係る選択回数情報を示す図である。
【００７５】
具体的には、選択回数情報は、以下のように更新される。
まず、メニュー生成サーバ２の生成部２２３は、共通表示メニューを生成する際に、各カテゴリに関連するサービスコンテンツのアドレス情報を、メニュー生成サーバ２を経由して当該サービスコンテンツにアクセスするリダイレクト形式のアドレス情報に変換する。
【００７６】
その後、端末１において、共通表示メニューに表示されているカテゴリ名が選択されると、メニュー生成サーバ２にサービスコンテンツの取得リクエストが送信される。メニュー生成サーバ２のサーバ受信部２２１が当該取得リクエストを受信すると、サーバ送信部２２４は、当該取得リクエストに対応するカテゴリが選択されたと判定する。そして、サーバ送信部２２４は、記憶部２１の選択回数情報を参照し、当該カテゴリの選択回数を更新するとともに、取得リクエストに対応するサービスコンテンツのページにリダイレクトする。
【００７７】
また、端末１において、端末１のユーザによって広告情報が選択されると、分配部３２４は、選択された広告情報に関連付けられている掲載料の半分を表示コンテンツに対応するパートナーに対して分配する。そして、分配部３２４は、残りの掲載料を、共通表示メニューに含まれる複数のカテゴリそれぞれが選択された回数に基づいて、当該複数のカテゴリそれぞれに対応するリンクが示すサービスコンテンツに対応するサービスパートナーに分配する。
【００７８】
具体的には、分配部３２４は、端末１において広告情報が選択されたことに応じて、メニュー生成サーバ２の記憶部２１に記憶されている選択回数情報を参照し、共通表示メニューに含まれる複数のカテゴリそれぞれが選択された回数を取得し、これらの複数のカテゴリそれぞれが選択された回数に基づいて、当該カテゴリに付されたリンクが示すサービスコンテンツに対応するサービスパートナーに分配する。
【００７９】
図１３は、第２の実施形態に係る掲載料の分配例を示す図である。例えば、共通表示メニューに表示されている複数のカテゴリに対応するサービスコンテンツが、Ａニュース、ＢＢショップ、ＣＣＣラジオ、ＤＤミュージック、Ｅトラベル、及びＦグルメの６つであり、複数のカテゴリそれぞれの選択回数が図１２に示すものであるとする。また、広告情報の掲載料は、４００円であるものとする。
【００８０】
例えば、分配部３２４は、表示コンテンツに対応するサービスパートナーに対して、掲載料の半分（２００円）を分配する。また、分配部３２４は、共通表示メニューのサービスコンテンツに対応するサービスパートナーに対して、残りの掲載料（２００円）をカテゴリの選択回数に基づいて分配する。例えば、カテゴリ「ニュース」の選択回数が５０回であり、全カテゴリの選択回数の５０％であることから、Ａニュースのサービスパートナーに、残りの掲載料の５０％（１００円）を分配する。また、カテゴリ「ショッピング」の選択回数が２０回であり、カテゴリ全体の選択回数の２０％であることから、ＢＢショップのサービスパートナーに残りの掲載料の２０％（４０円）を分配する。
【００８１】
なお、本実施形態では、分配部３２４は、端末１において広告情報が選択されたことに応じて、メニュー生成サーバ２の記憶部２１に記憶されている選択回数情報を参照したが、これに限らない。例えば、取得部３２１が、メニュー生成サーバ２から定期的に選択回数情報を取得して記憶部３１に記憶しておき、分配部３２４が、端末１において広告情報が選択されたことに応じて、記憶部３１に記憶されている選択回数情報を参照してもよい。
【００８２】
［第２の実施形態における効果］
以上のとおり、第２の実施形態の広告サーバ３は、共通表示メニューに含まれる複数のカテゴリそれぞれが選択された回数に基づいて、掲載料を、共通表示メニューのリンクが示すサービスコンテンツに対応するサービスパートナーに分配する。このようにすることで、広告サーバ３は、複数のカテゴリ間の貢献度に応じて適切に分配することができる。
【００８３】
＜第３の実施形態＞
［共通表示メニューに関連付けられた回数に応じて掲載料を分配する］
続いて、第３の実施形態について説明する。第２の実施形態では、広告サーバ３は、共通表示メニューに含まれるカテゴリの選択回数に基づいて、共通表示メニューのリンク先のサービスコンテンツに対応するパートナーに対して掲載料を分配した。しかしながら、選択回数が多いカテゴリに対応するサービスコンテンツが、表示コンテンツにおける広告情報の選択に対して大きく貢献しているとは限らない。
【００８４】
例えば、共通表示メニューにおいて、カテゴリ「ニュース」に対応する第１のサービスコンテンツが、カテゴリ「ニュース」に対応する第２のサービスコンテンツに比べて多く共通表示メニューに関連付けられているものとする。この場合、第１のサービスコンテンツを介して表示コンテンツに訪問するユーザの数は、第２のサービスコンテンツを介して表示コンテンツに訪問するユーザの数に比べて多くなると考えられ、第１のサービスコンテンツがより大きく貢献していると考えられる。
そこで、第２の実施形態では、広告サーバ３は、サービスコンテンツそれぞれについて、共通表示メニューに関連付けられた回数に応じて掲載料を分配する。
【００８５】
第３の実施形態において、メニュー生成サーバ２の記憶部２１は、複数のサービスコンテンツのそれぞれが、共通表示メニューに関連付けられた回数を示す関連付け回数情報を記憶する。図１４は、第３の実施形態に係る関連付け回数情報を示す図である。
【００８６】
この関連付け回数情報は、メニュー生成サーバ２の生成部２２３によって更新される。具体的には、メニュー生成サーバ２の生成部２２３は、共通表示メニューを生成する際に、記憶部２１の関連付け回数情報を参照し、サービスコンテンツそれぞれが共通表示メニューに関連付けられた回数を更新する。
【００８７】
端末１のユーザによって広告情報が選択されると、分配部３２４は、選択された広告情報に関連付けられている掲載料の半分を表示コンテンツに対応するパートナーに対して分配する。そして、分配部３２４は、残りの掲載料をパートナーのサービスコンテンツそれぞれについて、共通表示メニューに関連付けられた回数に基づいて、共通表示メニューに含まれるリンクが示すサービスコンテンツに対応するサービスパートナーに分配する。
【００８８】
具体的には、分配部３２４は、端末１のユーザによって広告情報が選択されたことに応じて、メニュー生成サーバ２の記憶部２１に記憶されている関連付け回数情報を参照し、共通表示メニューに含まれるリンクが示すサービスコンテンツが関連付けられた回数を取得する。そして、分配部３２４は、残りの掲載料を、当該回数に基づいて共通表示メニューのリンクが示すサービスコンテンツに対応するパートナーに分配する。
【００８９】
なお、本実施形態では、分配部３２４は、端末１において広告情報が選択されたことに応じて、メニュー生成サーバ２の記憶部２１に記憶されている関連付け回数情報を参照したが、これに限らない。例えば、取得部３２１が、メニュー生成サーバ２から定期的に関連付け回数情報を取得して記憶部３１に記憶しておき、分配部３２４が、端末１において広告情報が選択されたことに応じて、記憶部３１に記憶されている関連付け回数情報を参照してもよい。
【００９０】
［第３の実施形態における効果］
以上のとおり、第３の実施形態の広告サーバ３は、サービスコンテンツが共通表示メニューに関連付けられた回数に基づいて、掲載料を分配するので、共通表示メニューに含まれるリンクそれぞれに対応する複数のサービスコンテンツの貢献度に応じて、掲載料を適切に分配することができる。
【００９１】
＜第４の実施形態＞
［掲載料から、少なくとも所定額以上を分配する］
続いて、第４の実施形態について説明する。第３実施形態に示すように、サービスコンテンツが共通表示メニューに関連付けられた回数に基づいて掲載料を分配する場合には、共通表示メニューに関連付けられた回数が少ないサービスコンテンツのパートナーに掲載料が分配されないことがあるという問題が発生する。そこで、第４の実施形態では、分配部３２４は、共通表示メニューに含まれるリンクが示すサービスコンテンツに対応するパートナーに対して、掲載料のうち少なくとも所定額以上を分配する。
【００９２】
具体的には、分配部３２４は、端末１において広告情報が選択されると、第３の実施形態と同様に、選択された広告情報に関連付けられている掲載料の半分を表示コンテンツに対応するパートナーに対して分配し、残りの掲載料を、共通表示メニューのリンクが示すサービスコンテンツが共通表示メニューに関連付けられた回数に基づいて、当該サービスコンテンツに対応するパートナーに分配する。なお、分配部３２４は、第２の実施形態と同様に、残りの掲載料を、共通表示メニューに含まれる複数のカテゴリそれぞれが選択された回数に基づいて分配してもよい。
【００９３】
ここで、分配部３２４は、複数のパートナーのそれぞれに分配された金額のうち少なくともいずれかが所定額未満である場合、分配された掲載料を調整することで、複数のパートナーのそれぞれに対して、掲載料のうち、少なくとも所定額以上を分配する。
【００９４】
図１５は、第４の実施形態に係る掲載料の分配例を示す図である。例えば、共通表示メニューに表示されている複数のカテゴリに対応するサービスコンテンツが、Ａニュース、ＢＢショップ、ＣＣＣラジオ、ＤＤミュージック、Ｅトラベル、及びＦグルメの６つであり、これらの６つのサービスコンテンツには、図１５に示される割合で広告情報の一部の掲載料（２００円）が分配されるものとする。
【００９５】
例えば、Ａニュースには、共通表示メニューに対応するサービスコンテンツに分配される掲載料の４０％として８０円が分配され、Ｆグルメには、共通表示メニューに対応するサービスコンテンツに分配される掲載料の１％として２円が分配されるものとする。ここで、分配部３２４は、サービスコンテンツに分配する最低の額（最低保証額）として５円を設定している場合、最も分配された掲載料が多いＡニュースから、Ｆグルメに掲載料を移し、Ｆグルメに分配される掲載料を５円とする。
【００９６】
なお、分配部３２４は、分配された掲載料が最も多いサービスコンテンツから掲載料が少ないサービスコンテンツに分配された掲載料を移したが、これに限らず、掲載料が多い複数のサービスコンテンツから掲載料が少ないサービスコンテンツに、分配された掲載料を移すようにしてもよい。
【００９７】
［第４の実施形態における効果］
以上のとおり、第４の実施形態の広告サーバ３は、複数のサービスパートナーのそれぞれに対して、掲載料から少なくとも所定額以上を分配する。このようにすることで、共通表示メニューに関連付けられた回数が少ないサービスコンテンツのサービスパートナーの、共通メニュー表示サービスを継続して利用する意欲を高めることができる。
【００９８】
＜第５の実施形態＞
［サービスコンテンツへの流入数及びサービスコンテンツからの流出数に応じて掲載料を分配する］
続いて、第５の実施形態について説明する。第２の実施形態では、複数のカテゴリのそれぞれが共通メニューにおいて選択された回数に基づいて、広告の掲載料を分配した。これに対して、第５の実施形態では、端末１のユーザの、複数のカテゴリのそれぞれに対応するサービスコンテンツ間の回遊状況、すなわち、サービスコンテンツへの流入数及びサービスコンテンツからの流出数に基づいて広告の掲載料を分配する点で異なる。以下に、第５の実施形態に係る広告サーバ３の詳細について説明する。
【００９９】
図１６は、第５の実施形態に係る広告サーバ３の構成を示す図である。広告サーバ３は、計数情報記憶部３１２と、計数部３２５をさらに備える。
計数部３２５は、複数のサービスコンテンツのそれぞれの、共通表示メニューを介した、他のサービスコンテンツへの流出数、及び他のサービスコンテンツからの流入数を計数し、計数情報記憶部３１２に記憶されている計数情報を更新する。流出数は、ユーザが共通表示メニューサービスに参加する複数のサービスコンテンツのうちの一のサービスコンテンツを閲覧している場合に、共通表示メニューを介して当該一のサービスコンテンツから他のサービスコンテンツに遷移した数を示す。流入数は、ユーザが他のサービスコンテンツを閲覧している場合に、共通表示メニューを介して当該一のサービスコンテンツに遷移した数を示す。
【０１００】
図１７は、計数情報記憶部３１２に記憶されている計数情報の一例を示す図である。
計数情報記憶部３１２は、複数のサービスコンテンツのそれぞれに対する流出数及び流入数を示す計数情報を記憶する。具体的には、計数情報記憶部３１２は、サービスコンテンツ名に、他のサービスコンテンツのそれぞれに対する流出数を関連付けて記憶する。また、計数情報記憶部３１２は、サービスコンテンツ名に、他のサービスコンテンツのそれぞれからの流入数を関連付けて記憶する。
【０１０１】
例えば、サービスコンテンツ「Ａニュース」が端末１に表示されている場合に、当該端末１のユーザが、共通表示メニューを介して、サービスコンテンツ「ＢＢショップ」に遷移した場合、計数部３２５は、計数情報を参照し、サービスコンテンツ「Ａニュース」に関連付けられたサービスコンテンツ「ＢＢショップ」の流出数「３０００」に１を加算する。この流出数は、サービスコンテンツ「ＢＢショップ」のサービスコンテンツ「Ａニュース」からの流入数ともなる。
【０１０２】
また、計数情報記憶部３１２は、複数のサービスコンテンツのそれぞれに対して、共通メニューサービスの全体における流出数の合計数に対する、当該サービスコンテンツの流出数の割合、共通メニューサービスの全体における流入数の合計数に対する当該サービスコンテンツへの流入数の割合、流入数と流出数との比率を記憶する。
【０１０３】
計数部３２５は、共通メニューサービスの全体における流入数の合計数を算出するとともに、流入数の合計数に対する、それぞれのサービスコンテンツの流入数の割合を算出し、算出結果を計数情報として計数情報記憶部３１２に記憶させる。同様に、計数部３２５は、共通メニューサービスの全体における流出数の合計数を算出するとともに、流出数の合計数に対する、それぞれのサービスコンテンツの流出数の割合を算出し、算出結果を計数情報として計数情報記憶部３１２に記憶させる。また、計数部３２５は、複数のサービスコンテンツのそれぞれにおける、流入と流出との比率を算出し、算出結果を計数情報として計数情報記憶部３１２に記憶させる。
【０１０４】
なお、ユーザが共通表示メニューを介してサービスコンテンツを遷移したことを、広告サーバ３において検知する方法は任意である。例えば、端末１は、設定されたアドレス情報に従い遷移先のサービスコンテンツに応じたコンテンツサーバ４にアクセスすることになるが、コンテンツサーバ４から広告サーバ３に対して所定の通知を行うことで、広告サーバ３においてサービスコンテンツの遷移を検知することとしてもよい。また、共通表示メニューに、サービスコンテンツを遷移する際に広告サーバ３に対して所定の通知を行うためのスクリプト（例えば、Ａｊａｘ）を含めておくこととしてもよい。このような方法によれば、ユーザが共通表示メニューを介してサービスコンテンツを遷移すると、端末１から広告サーバ３に対して通知が行われるため、広告サーバ３において端末１におけるサービスコンテンツの遷移を検知することができる。
【０１０５】
分配部３２４は、端末１においてユーザによって選択された広告情報に関連付けられている掲載料を、計数部３２５が計数した流出数及び流入数の少なくともいずれかに基づいて、表示コンテンツに対応するパートナーと、共通表示メニューに含まれているリンクが示すコンテンツに対応するパートナーとに分配する。
【０１０６】
例えば、広告情報が選択された場合、当該広告情報に対応する表示コンテンツへの遷移回数が多いサービスコンテンツは、当該広告情報の選択に対する貢献度が高い。このため、分配部３２４は、広告情報に関連付けられている掲載料を、当該広告情報に対応して端末１に表示されている表示コンテンツに対する他のサービスコンテンツからの流入数に基づいて、当該他のサービスコンテンツのパートナーに分配する。
【０１０７】
例えば、図１７では、サービスコンテンツ「ＣＣＣラジオ」への流入数は、「Ａニュース」が７０００、「ＢＢショップ」が７００、「ＤＤミュージック」が３５００、「Ｅトラベル」が１００、「Ｆグルメ」が１２００である。このため、サービスコンテンツ「ＣＣＣラジオ」が表示コンテンツとして端末１に表示されている場合の広告情報の選択に対する貢献度は、サービスコンテンツ「Ａニュース」が最も高い。このため、分配部３２４は、サービスコンテンツ「Ａニュース」のサービスパートナーに対して、他のサービスコンテンツのサービスパートナーに比べて多くの掲載料を分配する。例えば、分配部３２４は、サービスコンテンツ「ＣＣＣラジオ」に対する、他のサービスコンテンツからの流入数の割合に基づいて掲載料を分配する。
【０１０８】
また、広告情報の選択に対する貢献度は、流入数に対する流出数の割合とも関係する。例えば、流入数に対して流出数の割合が高いサービスコンテンツは、図１８（Ａ）に示すように、複数のサービスコンテンツの間を回遊する際の起点となる複数のサービスコンテンツ（以下、「ハブコンテンツ」と呼ぶことがある）であり、広告情報の選択に対する貢献度が高い。反対に、流入数に対して流出数の割合が低いサービスコンテンツは、ユーザが共通表示メニューサービスの利用を止めてしまうサービスコンテンツ（以下、「エンドコンテンツ」と呼ぶことがある）であり、広告情報の選択に対する貢献度が低い。
【０１０９】
図１７に示す計数情報では、サービスコンテンツ「ＣＣＣラジオ」は、流入数に対する流出数の割合が高く、ハブコンテンツといえる。他方、サービスコンテンツ「ＤＤミュージック」は、流入数に対して流出数が著しく低く、エンドコンテンツといえる。
【０１１０】
そこで、分配部３２４は、広告情報に対応する掲載料を、流入数に対する流出数の割合に基づいて分配してもよい。例えば、分配部３２４は、流入数に対する流出数の割合が高いサービスコンテンツのサービスパートナーに対して、当該割合が低いサービスコンテンツのサービスパートナーに比べて、多くの掲載料を分配する。
【０１１１】
なお、分配部３２４は、流入数に対する流出数の割合と、流入数及び流出数の量とに基づいて、掲載料の分配割合を変更してもよい。例えば、分配部３２４は、流入数に対する流出数が高く、流入数及び流出数の量が少ないサービスコンテンツのサービスパートナーに対して、掲載料の分配割合を下げたり、流入数に対する流出数が低く、流入数及び流出数の量が多いサービスコンテンツのサービスパートナーに対して、掲載料の分配割合を上げたりしてもよい。
【０１１２】
また、計数情報からは、共通表示メニューサービスを利用するユーザが複数のサービスコンテンツ間を遷移する順序も把握することができる。図１７に示す例では、図１８（Ｂ）に示すように、ユーザは、サービスコンテンツ「ＣＣＣラジオ」から、サービスコンテンツ「ＤＤミュージック」を介してサービスコンテンツ「ＢＢショップ」に遷移することが把握できるとともに、サービスコンテンツ「ＣＣＣラジオ」から、サービスコンテンツ「Ａニュース」を介してサービスコンテンツ「ＤＤミュージック」に遷移することが把握できる。
【０１１３】
そこで、分配部３２４は、ユーザが複数のサービスコンテンツ間を遷移する順序に基づいて、広告情報が選択された際の表示コンテンツとの関連性が高いサービスコンテンツを特定し、当該特定したサービスコンテンツに対して分配割合が相対的に高くなるように掲載料を分配してもよい。
【０１１４】
［第５の実施形態における効果］
以上のとおり、第５の実施形態の広告サーバ３は、サービスコンテンツへの流入数及びサービスコンテンツからの流出数に応じて広告の掲載料を分配する。このようにすることで、広告サーバ３は、共通表示メニューサービスにおいて、選択された広告に対応する表示コンテンツの端末１への表示に貢献している他のサービスコンテンツを重視して広告の掲載料を分配することにより、複数のサービスコンテンツそれぞれに対応するサービスパートナーに対して成功報酬を適切に支払うことができる。
【０１１５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。例えば、上記実施形態のメニュー生成サーバ２及び広告サーバ３は、１台のサーバによって構成されるようにしてもよい。
【０１１６】
なお、上記実施形態では、一のカテゴリに対して一のサービスコンテンツが関連付けられた場合の掲載料の分配例について説明したが、一のカテゴリに対して複数のサービスコンテンツが関連付けられた場合、以下のように分配してもよい。すなわち、分配部３２４は、一のカテゴリに関連付けられた複数のサービスコンテンツに、当該カテゴリに分配される掲載料を均等に分配してもよい。また、分配部３２４は、当該複数のサービスコンテンツのそれぞれが端末１のユーザによって選択された回数の比率に基づいて、当該カテゴリに分配される掲載料を分配してもよい。また、分配部３２４は、当該複数のサービスコンテンツのそれぞれが当該カテゴリに関連付けられた回数の比率に基づいて、当該カテゴリに分配される掲載料を分配してもよい。
【符号の説明】
【０１１７】
１・・・端末、１１・・・入力部、１２・・・表示部、１３・・・無線部、１４・・・記憶部、１５・・・制御部、１５１・・・端末送信部、１５２・・・端末受信部、１５３・・・表示制御部、２・・・メニュー生成サーバ、２１・・・記憶部、２１１・・・サービスパートナー情報記憶部、２２・・・制御部、２２１・・・サーバ受信部、２２２・・・アドレス特定部、２２３・・・生成部、２２４・・・サーバ送信部、３・・・広告サーバ、３１・・・記憶部、３１１・・・広告情報記憶部、３１２・・・計数情報記憶部、３２・・・制御部、３２１・・・取得部、３２２・・・選択部、３２３・・・広告送信部、３２４・・・分配部、３２５・・・計数部、４・・・コンテンツサーバ、５・・・通信ネットワーク、Ｓ・・・広告システム
【図１】
0006445346.tif 000002
【図２】
0006445346.tif 000003
【図３】
0006445346.tif 000004
【図４】
0006445346.tif 000005
【図５】
0006445346.tif 000006
【図６】
0006445346.tif 000007
【図７】
0006445346.tif 000008
【図８】
0006445346.tif 000009
【図９】
0006445346.tif 000010
【図１０】
0006445346.tif 000011
【図１１】
0006445346.tif 000012
【図１２】
0006445346.tif 000013
【図１３】
0006445346.tif 000014
【図１４】
0006445346.tif 000015
【図１５】
0006445346.tif 000016
【図１６】
0006445346.tif 000017
【図１７】
0006445346.tif 000018
【図１８】
0006445346.tif 000019